(57)【要約】【課題】  初めて操作する人でもキーボードの位置に迷うことなく操作でき、同時に利用者本人が意識することなく他者の覗き見行為を防ぐことができる個人認証装置の提供【解決手段】  キーボードの上に半透明のカバーを取り付けることで、カバーを閉じた状態では下にキーボードがあることが一目で確認でき、またカバーを開けた状態ではその透過度の低さを利用して覗き見防止用の壁として利用する事ができる。これによって、普段日常的に装置に触れることのない不特定多数の人においても一目でキーボード位置がわかり、同時に他者による覗き見行為を防止できるような装置を提供する。【選択図】  図３
2008198149.tif 000002
【特許請求の範囲】
【請求項１】
利用者の情報を登録した磁気カードもしくはＩＣカード内の情報を読み取るカードリーダ部と、
利用者が情報入力するキーボード部と、
前記カードリーダ部及びキーボード部にて取得したデータを上位装置へ送る為の通信部と、
を備え、
前記カードリーダ部で読み取られた利用者の情報と、前記キーボード部で入力された情報との照合を行う事で本人認証を行う個人認証装置であって、
前記キーボード部の上部に半透明な素材のカバー部を設け、当該装置の使用時以外に前記キーボード部を外力、埃等から保護すると共に、前記カバー部を閉じた状態でも前記キーボード部が視認可能に構成したを特徴とする個人認証装置。
【請求項２】
請求項１に記載の個人認証装置であって、
前記カバー部を低い透過度の材質で形成し、前記カバー部を上げることによってキーボード操作時の覗き見防止用の壁として使用可能としたことを特徴とする個人認証装置。
【発明の詳細な説明】
【技術分野】
【０００１】
本発明は、暗証番号等のキー入力による認証機能を備え、前記認証機能による本人確認を以って取引の実行を可能とする個人認証装置において、キーボード部の視認性向上及び操作時の覗き見防止に関するものである。
【背景技術】
【０００２】
クレジットカードや電子マネーの普及により、売買取引の決済をキャッシュレスで行うことが多くなっている。キャッシュレスでの決済を安全に実施するためには利用者が本人であることを確認する必要がある。
【０００３】
従来、決済時に利用者が本人である事を確認する最も一般的な方法は、利用者が暗証番号を入力する方法であった。しかし、暗証番号による認証ではカードや暗証番号の盗難により悪意を持った者が本人に成りすまして利用する等の被害が多数発生している。このような被害を抑える方法として、特開２００２−３２８５２号公報（特許文献１）には暗証番号入力時に手元を周りから隠し、暗証番号の盗難を防ぐ方法などが記載されている。
【０００４】
【特許文献１】特開２００２−３２８５２号公報
【発明の開示】
【発明が解決しようとする課題】
【０００５】
従来の技術では、暗証番号を他者に知られる事を防ぐ為に操作時にキーボード部の周りをカバーなどを用いて隠したり、キーの配列を可変とすることで指の動き等から暗証番号を推測する事ができないようにしている。
【０００６】
遮蔽用カバーの取り付け方や使用時以外の収納方法、キー配列の変更方法については多数の方法が考案されているが、例えばキーボード部の周りを遮蔽するカバーの折りたたみ方や変更したキーの並び方など、日常的に操作しない不特定多数の人が操作する際に一目見て直感的に操作方法がわかるものではなかった。
【０００７】
装置を初めて見た人がキー操作を実施する際には、まず装置を見、その後どこに何があり、どうすれば使用可能な状態になるかを想定し、想定した手順に従って操作するといった手順を踏むと考えられる。この時、遮蔽用カバーやキーの配列変更などが複雑であればある程、実際にキーを操作するまでにかかる時間が増大することになる。
【０００８】
本発明の目的は、上記課題となる点を鑑みて、キーボード部にカバーをした状態でもキーボード部を視認可能とすることで、初めて操作する人であってもキーボード部がどこにあるか迷うことなく、また入力時には他者の目から手元を隠すことができる個人認証装置を提供することである。  
【課題を解決するための手段】
【０００９】
前項に記載の目的を達成するために、本発明では予め利用者の情報を登録した磁気カード又はＩＣカードの情報を読み取るカードリーダ部と、利用者が暗証番号等の秘密情報を入力する為のキーボード部と、前記カードリーダ部、キーボード部で取得した情報を上位装置へ送る為の通信部と、を備えた個人認証装置であって、前記カードリーダ部で読み取られた利用者の情報と前記キーボード部に入力された前記秘密情報を照合することで本人認証を行うことを特徴とする個人認証装置に対し、前記キーボード部の上部に半透明な素材でできたカバー部を設け、使用時以外は前記キーボード部を外力、埃等から保護すると共に、前記カバー部を閉じた状態でもその下にある前記キーボード部を視認することが可能であり、また、前記カバー部の低い透過度を利用して前記カバー部を上げた状態では前記キーボード部操作時の他者による覗き見行為を防止する為の壁として利用可能となるように構成する。
【００１０】
ここで言う上位装置とは本発明で定義する個人認証装置で取得した情報を受け取り、認証作業及びそれに関わる作業全般を行う為の装置である。従って、前記カードリーダ部、キーボード部で取得した情報を前記通信部より前記上位装置へ送り、認証作業は全て前記上位装置で行うことを前提とする。
【００１１】
前記上位装置と本発明で定義する個人認証装置の間の通信方式はＵＳＢやＬＡＮによる有線接続でも良いし、Ｂｌｕｅｔｏｏｔｈや無線ＬＡＮといった無線接続による通信方式としても良い。また、前記上位装置は個人認証装置と一体型であっても良い。
【００１２】
また、前記カバー部の透過度は、対象物との距離がある程度離れている場合はこのカバー越しに反対側の様子を窺い知ることが不可能な程度であり、例えば前記カバー部を閉じた状態ではその下にある前記キーボード部との距離はほぼ０に近いため,上から見た場合でもその下にある前記キーボード部を容易に視認可能であるが、上げた状態では前記カバー部と前記キーボード部を操作する指の間に距離が空くため、カバー越しに指の動きを見ることは不可能となる。また、その形状については操作の簡単化のために特に特徴のない板状の物を想定しているが、装置の使用状況によっては操作が複雑にならない程度の細工がされたカバーを使用することも考えられる。
【発明の効果】
【００１３】
本発明によれば、初めて操作する人でもキーボードの位置に迷うことがなく、またキーボード操作時には利用者本人が意識することなく手元の動きを他者の目から隠せるような個人認証装置を提供する事ができる。
【発明を実施するための最良の形態】
【００１４】
本発明の一実施形態について、図１から図３を参照して説明する。本実施形態では個人認証装置は金融機関の窓口等に設置され、利用者と係員がカウンター越しに向かい合っている状態で上位装置と共に使用することを前提とする。
【実施例１】
【００１５】
図１は本実施形態における個人認証装置の外観図、図２はシステム構成図である。
【００１６】
図２に示すように個人認証装置は装置本体（１００）に暗証番号などを入力する為のキーボード部（１０１）、キーボード部の上部に取り付けられるカバー部（１０２）、磁気カード・ＩＣカードの中に記録されている情報を読み出すためのカードリーダ部（１０３）、上位装置（２００）との通信を行う通信部（１０４）を備える。
【００１７】
ここでカバー部（１０２）は半透明のプラスチック製であり、閉じた状態ではキーボード部（１０１）の誤操作を防止すると共に、カバー越しにその存在を確認することができる。また、上位装置は個人認証装置の通信部（１０４）より送られるデータを照合し、認証作業及び関連する作業を行う装置である。
【００１８】
利用者が認証の過程で暗証番号の入力を促された場合、図１に示すような外観であればキーボード部（１０１）を使用すればよいことが一目でわかる。そして、入力する為にカバー部（１０２）を開ければそのまま正面にいる係員から手元を隠すことができるため、暗証番号を知られることなく認証を行うことが可能である。
【００１９】
図３にはカバー部（１０２）を閉じた状態と開いた状態の比較した図を示す。また、ここでは正面にいる係員から手元を隠すことを前提としたが、運用上の都合により左右からの覗き見行為に対しても手元を隠すことが必要となった場合等、操作が複雑にならない程度にカバー部（１０２）を拡張することも考えられる。
【００２０】
例えば図４に示すようにカバー部（１０２）を横に広げたカバー部（１０５）の両端に扇状の不透明なプレート（１０６）を取り付け、カバー部（１０５）を閉じる際はプレート（１０６）を装置内に収納する機構を実装することで、閉じた状態ではキーボード部（１０１）が視認可能であり、またカバーを開けるという操作に変更を加えることなく左右からの覗き見行為を防ぐことができる。
【００２１】
また、ここでは上位装置（２００）と個人認証装置本体（１００）は別々の装置であることを想定しているが、一体型としてもよい。
【図面の簡単な説明】
【００２２】
【図１】装置本体の外観
【図２】システム構成図
【図３】カバー部の開閉時比較
【図４】カバー部の拡張例
【符号の説明】
【００２３】
１００・・・装置本体
１０１・・・キーボード部
１０２・・・カバー部
１０３・・・カードリーダ部
１０４・・・通信部
２００・・・上位装置
１０５・・・拡張したカバー部
１０６・・・扇状の不透明なプレート
【図１】
2008198149.tif 000003
【図２】
2008198149.tif 000004
【図３】
2008198149.tif 000005
【図４】
2008198149.tif 000006